(57)【特許請求の範囲】
【請求項１】
下端を回転中心として垂直状態及び水平状態に回動自在に構成され不使用時にはキャビン後壁面に立て掛けた垂直状態で収納され使用時には車輛の運転席シート及び助手席シートの間で水平状態となるように配設されたベッド支持体と、前記ベッド支持体の上面に配設された第１ベッドと、これに折り畳み自在に結合された第２ベッドとを含むクッション部とからなり、前記ベッド支持体を前記車輛の進行方向前方に回動させて前記運転席シート及び助手席シートの間に水平状態とした後、折り畳んである前記第２ベッドを前記第１ベッドに対して回動させ、前記運転席シート及び助手席シートのいずれか一方のシート上に平板状に展開して仮眠用のベッドとするように構成したことを特徴とする車輛用簡易ベッド。
【請求項２】
下端を回転中心として垂直状態及び水平状態に回動自在に構成され不使用時にはキャビン後壁面に立て掛けた垂直状態で収納され使用時には車輛の運転席シート及び助手席シートの間で水平状態となるように配設されたベッド支持体と、前記ベッド支持体の上面に配設された第１ベッドと、これにヒンジによって折り畳み自在に結合された第２ベッドとからなるベッド本体と、該ベッド本体を包み込んでベッド面を形成する弾性体とから構成されるクッション部と、前記水平状態となった前記べッド支持体の下面に当接して前記クッション部に就寝する就寝者の体重を支えるようにキャビンに固定されたベッド受けステーとからなり、前記ベッド支持体を前記車輛の進行方向前方に回動させて前記運転席シート及び助手席シートの間に水平状態とした後、折り畳んである前記第２ベッドを前記第１ベッドに対して回動させ、前記運転席シート及び助手席シートのいずれか一方のシート上に平板状に展開して仮眠用のベッドとするように構成したことを特徴とする車輛用簡易ベッド。
【発明の詳細な説明】
【０００１】
【発明の属する技術分野】
本発明は、車輛用簡易ベッドに係り、特に運転席シート又は助手席シート上に展開可能な折り畳み可能なベッドをベッドレス車輛に装備して通常はキャビン後壁面に折り畳んで立て掛け、使用時に展開するだけで容易にベッドを作ることができ、快適な仮眠をとれるようにして運転者の疲れを軽減させて長距離を安全に運転することができるようにした、キャビン内が狭い中型及び小型トラックに好適な車輛用簡易ベッドに関する。
【０００２】
【従来の技術】
長距離を走行する大型トラック等の車輛においては、運転による疲れが仮眠することによってかなり軽減されることから、長距離を安全に運転するために運転席後部に仮眠室が設けられているものが多いが、キャビン内が狭く仮眠室を設けるスペースが確保し難い中型及び小型トラックでは、仮眠時には助手席シート上に枕を置き、運転席と助手席との間に装着されているコンソール上に毛布等を敷いて該毛布上で仮眠を取っていた。
【０００３】
しかしこのような状態では、背に当たる面の凹凸が多く、またごつごつと硬いため、快適な仮眠を取ることができず、運転者の疲れを十分に軽減させることができず、本格的な仮眠室を設けることが困難な中型及び小型トラックにも簡易ベッドを設けられるようにすることが熱望されていた。
【０００４】
【発明が解決しようとする課題】
本発明は，上記した従来技術の欠点を除くためになされたものであって、その目的とするところは、運転席シート及び助手席シートの間に回動自在に配設されたベッド支持体に、平板状に展開可能とされたクッション部を装着し、ベッド支持体を車輛の進行方向前方に回動させて水平状態とした後、クッション部を運転席シート又は助手席シート上に展開することにより、仮眠用のベッドを容易に作れるようにすることであり、またこれによって専用の仮眠室を設けることが困難な中型及び小型トラックにも簡易ベッドを作ることができるようにして快適な仮眠を取れるようにし、長時間運転による運転者の疲れを軽減させ、長距離を安全に運転することができるようにすることである。
【０００５】
また他の目的は、上記構成により不要時には簡易ベッドを運転席シート及び助手席シートの間のキャビン後壁面に折り畳んで立て掛けて垂直状態で収納し、使用時に平板状に展開するだけで容易にベッドを作ることができるようにして、運転時のキャビン内を広く使用できるようにして快適な運転を可能とし、かつ必要時に極めて簡単に簡易ベッドを作ることができるようにすることである。
【０００６】
更に他の目的は、ベッド受けステーを簡易ベッドが平板状に展開されたとき、ベッド支持体の下面に当接するようにキャビンに固定して配設することにより、簡易ベッド上に寝る就寝者の体重を支えることができるようにすることであり、またこれによって簡易ベッドを確実に支持できるようにして簡単な構造でありながら、簡易ベッドをしっかりと支持して快適な仮眠を取ることができるようにすることである。
【０００７】
【課題を解決するための手段】
要するに本発明（請求項１）は、下端を回転中心として垂直状態及び水平状態に回動自在に構成され不使用時にはキャビン後壁面に立て掛けた垂直状態で収納され使用時には車輛の運転席シート及び助手席シートの間で水平状態となるように配設されたベッド支持体と、前記ベッド支持体の上面に配設された第１ベッドと、これに折り畳み自在に結合された第２ベッドとを含むクッション部とからなり、前記ベッド支持体を前記車輛の進行方向前方に回動させて前記運転席シート及び助手席シートの間に水平状態とした後、折り畳んである前記第２ベッドを前記第１ベッドに対して回動させ、前記運転席シート及び助手席シートのいずれか一方のシート上に平板状に展開して仮眠用のベッドとするように構成したことを特徴とするものである。
【０００８】
また本発明（請求項２）は、下端を回転中心として垂直状態及び水平状態に回動自在に構成され不使用時にはキャビン後壁面に立て掛けた垂直状態で収納され使用時には車輛の運転席シート及び助手席シートの間で水平状態となるように配設されたベッド支持体と、前記ベッド支持体の上面に配設された第１ベッドと、これにヒンジによって折り畳み自在に結合された第２ベッドとからなるベッド本体と、該ベッド本体を包み込んでベッド面を形成する弾性体とから構成されるクッション部と、前記水平状態となった前記ベッド支持体の下面に当接して前記クッション部に就寝する就寝者の体重を支えるようにキャビンに固定されたベッド受けステーとからなり、前記ベッド支持体を前記車輛の進行方向前方に回動させて前記運転席シート及び助手席シートの間に水平状態とした後、折り畳んである前記第２ベッドを前記第１ベッドに対して回動させ、前記運転席シート及び助手席シートのいずれか一方のシート上に平板状に展開して仮眠用のベッドとするように構成したことを特徴とするものである。
【０００９】
【発明の実施の形態】
以下本発明を図面に示す実施例に基いて説明する。図１から図１０において、本発明に係る車輛用簡易ベッド１は、ベッド支持体２と、クッション部３と、ベッド受けステー４とを備えている。
【００１０】
ベッド支持体２は、クッション部３を収納し、該クッション部３を垂直状態及び水平状態に展開するためのものであって、中型及び小型トラック等のベッドレスの車輛５のキャビン８の運転席シート９及び助手席シート１０の間に配設されており、図３及び図８において、ポリプロピレン等の合成樹脂をブロー成形して製作されている。
【００１１】
下部は、剛性を高めるために矩形断面とされた２本の腕２ａ，２ｂが突出した二股状とされ、各々の腕２ａ，２ｂにはヒンジ穴２ｃが夫々あけられており、上部にはクッション部３を収納するための凹部２ｄが形成され、該凹部２ｄの中央はベッド支持体２を水平に展開したとき上面側に凸となるように凸部２ｅが形成され、該凸部２ｅで就寝者１１の体重がかかるクッション部３を支持すると共にベッド支持体２の剛性を高めるようになっている。
【００１２】
凸部２ｅには、長穴２ｆが形成され、車輛用簡易ベッド１がキャビン８の後壁面８ａに折り畳んで垂直状態に立て掛けて運転席シート９及び助手席シート１０の間に収納されているとき、該長穴２ｆ中に雑誌、地図などの書物１２を収納できるように構成されている。
【００１３】
図５から図８において、キャビン８にはメッキ処理の施された厚さ２．３ｍｍ程度の金属板をプレス成形し、両端を上方に折り曲げて立上り部１３ａがコの字状に製作されたヒンジブラケット１３がボルト１４によって固定され、該立上り部１３ａには先端に雄ねじ１５ａが形成された金属性の支持軸１５が溶接により固着されている。
【００１４】
ベッド支持体２のヒンジ穴２ｃには、直径１２ｍｍの嵌合穴１８ａがあけられ、ナイロン等の合成樹脂で製作されたブッシュ１８が挿通して組み付けられ、該ブッシュ１８は支持軸１５に回動自在に挿通され、座金１９、ばね座金２０を介して袋ナット２１によって支持軸１５に回動自在に装着されている。
【００１５】
クッション部３は、水平に展開したときベッド面を形成するためのものであって、ベッド本体２２と弾性体２３とから構成されている。
【００１６】
ベッド本体２２は、図３、図４及び図１０において、クッション部３の剛性を確保するために、ポリプロピレン等の合成樹脂をブロー成形して中空状に成形したクッション部３の心材であり、略同一形状の第１ベッド２４及び第２ベッド２５とからなり、該２つの第１ベッド２４及び第２ベッド２５はヒンジ２８、ねじ２９により折り畳み自在に結合されている。
【００１７】
弾性体２３は、水平に展開したとき、ベッド面を形成するためのものであって、図１０において、シート表皮巻きされた１０ｍｍ程度の厚さの硬質ウレタンフォーム３０で袋状に製作され、適宜面ファスナ（いわゆるマジックファスナ）３１が装着されて、ベッド本体２２を包み込むように該ベッド本体２２に装着され、面ファスナ３１で固定されるようになっている。
【００１８】
図１０から図１２において、ベッド本体２２には固定バンド３２が座金３３及びねじ３４によって装着され、該固定バンド３２の一端に固定されたフック３５をキャビン８に配設された止め金具３８に係合させて車輛用簡易ベッド１をキャビン８の後壁面８ａに垂直状態に立て掛けた状態で保持し、走行時の振動で倒れないようになっている。
【００１９】
ベッド受けステー４は、水平状態に展開し、就寝者１１の体重が作用する車輛用簡易ベッド１を下方から支持するためのものであって、図２及び図９において、コの字形に成形された直径１６ｍｍの金属パイプ４ａに厚さ１．２ｍｍの金属板４ｂが固着されて製作され、コンソール３９の前方においてキャビン８にナット４０によって固定されている。
【００２０】
そして、車輛用簡易ベッド１を水平状態に展開したとき、該車輛用簡易ベッド１を下方から支持し、就寝者１１の体重を支えると共に、コンソール３９に体重がかかり、該コンソール３９を損傷するのを防止するようになっている。
【００２１】
本発明は、上記のように構成されており、以下その作用について説明する。図１３において、キャビン８の後壁面８ａに垂直状態に立て掛けた状態で収納されている車輛用簡易ベッド１を、固定バンド３２のフック３５を止め金具３８から離間させ、ベッド支持体２をクッション部３と共に矢印Ａ方向に回動させてベッド受けステー４上に水平とし、次いで図１４において、ヒンジ２８を開いてクッション部３の第２ベッド２５を更に矢印Ｂ方向に回動させて助手席シート１０上に展開してクッション部３を水平状態としてベッドを作る。
【００２２】
図１５において、上述したように水平に展開された簡易ベッド１に頭１１ａを助手席シート１０上に展開されたクッション部３に載せ、脚１１ｂを運転席シート９上に載せて就寝者１１が横になり、ゆっくりと仮眠することができる。
【００２３】
また、運転席シート９は展開されたクッション部３より低くなっているが、脚１１ｂをクッション部３と同じ高さとするには、運転席シート９上に布団又は毛布（図示せず）等を載せることで容易に調節することができる。
ここで、就寝者１１の体重は、支持軸１５、ベッド受けステー４及び助手席シート１０でしっかりと保持されているので、不安定となることはなく、安心して仮眠することができる。
【００２４】
なお、上記実施例においては、クッション部３は助手席シート１０上に展開するものとして説明したが、助手席シート１０上に展開するものに限定されるものではなく、運転席シート９上に展開するものであってもよい。
【００２５】
【発明の効果】
本発明は、上記のように運転席シート及び助手席シートの間に回動自在に配設されたベッド支持体に、平板状に展開可能とされたクッション部を装着し、ベッド支持体を車輛の進行方向前方に回動させて水平状態とした後、クッション部を運転席シート又は助手席シート上に展開するようにしたので、仮眠用のベッドを容易に作れることとなり、またこの結果専用の仮眠室を設けることが困難な中型及び小型トラックにも簡易ベッドを作ることができるため、快適な仮眠を取れる効果があり、長時間運転による運転者の疲れを軽減させ、長距離を安全に運転することができるという効果がある。
【００２６】
また上記構成により不要時には簡易ベッドを運転席シート及び助手席シートの間のキャビン後壁面に折り畳んで立て掛けて垂直状態で収納し、使用時に平板状に展開するだけで容易にベッドを作ることができ、運転時のキャビン内を広く使用でき、快適な運転が可能となり、かつ必要時に極めて簡単に簡易ベッドを作ることができるという効果がある。
【００２７】
更には、ベッド受けステーを簡易ベッドが平板状に展開されたとき、ベッド支持体の下面に当接するようにキャビンに固定して配設したので、簡易ベッド上に寝る就寝者の体重を支えることができ、またこの結果簡易ベッドを確実に支持できるため、簡単な構造でありながら、簡易ベッドをしっかりと支持して快適な仮眠を取ることができるという効果がある。
【図面の簡単な説明】
【図１】車輛用簡易ベッドを装着した車輛の斜視図である。
【図２】車輛用簡易ベッドがキャビン内の後壁面に収納された状態を示すキャビン内の斜視図である。
【図３】車輛用簡易ベッドの折り畳まれた状態を示す斜視図である。
【図４】車輛用簡易ベッドの折り畳まれた状態を示す縦断面図である。
【図５】車輛用簡易ベッドの車輛への装着部であるヒンジ部の要部拡大縦断面図である。
【図６】車輛用簡易ベッドの車輛への装着部であるヒンジ部の要部拡大縦断面側面図である。
【図７】車輛用簡易ベッドの車輛への装着部であるヒンジ部の分解斜視図である。
【図８】ヒンジ部によって車輛に回動自在に装着されたベッド支持体の斜視図である。
【図９】キャビンに固定されたベッド受けステーの斜視図である。
【図１０】ベッド本体及び弾性体とからなるクッション部の構成を示す分解斜視図である。
【図１１】折り畳まれバンドによってキャビン後壁面に固定された車輛用簡易ベッドを示す要部拡大斜視図である。
【図１２】バンドとベッド本体との結合状態を示す縦断面図である。
【図１３】キャビン後壁面に固定された車輛用簡易ベッドを車輛前方に展開した状態を示すキャビン内の斜視図である。
【図１４】車輛用簡易ベッドを車輛前方に展開した後、助手席側に水平に展開して仮眠ベッドとした状態を示すキャビン内の斜視図である。
【図１５】水平に展開された車輛用簡易ベッド上で就寝者が仮眠する状態を示す正面図である。
【符号の説明】
１    車輛用簡易ベッド
２    ベッド支持体
３    クッション部
４    ベッド受けステー
５    車輛
８キャビン
９    運転席シート
１０    助手席シート
１１    就寝者
２２    ベッド本体
２３    弾性体
２４第１ベッド
２５第２ベッド
２８    ヒンジ
【図１】
0003874212.tif 000002
【図２】
0003874212.tif 000003
【図３】
0003874212.tif 000004
【図４】
0003874212.tif 000005
【図５】
0003874212.tif 000006
【図６】
0003874212.tif 000007
【図７】
0003874212.tif 000008
【図８】
0003874212.tif 000009
【図９】
0003874212.tif 000010
【図１０】
0003874212.tif 000011
【図１１】
0003874212.tif 000012
【図１２】
0003874212.tif 000013
【図１３】
0003874212.tif 000014
【図１４】
0003874212.tif 000015
【図１５】
0003874212.tif 000016